(57)【要約】【課題】緊急度や重要度等、患者の状況に応じた必要かつ十分な情報を表示させ当該患者のプライバシーを確保するとともに、看護師や医師による迅速な対応を可能とする。【解決手段】待受時には部屋の表徴表示、看護師や医師により携行されるＰＨＳ２１ａ、２１ｂが発した電波を受信した時には、これを検出したＣＰＵ６８の制御により記憶部６５から読み出された患者氏名の表示のように、表示部６２の表示を切り替えることができる。また、患者氏名の表示は、タイマ６４にて計時される所定時間がタイムアップとなると、これを検出したＣＰＵの制御により部屋の表徴表示に戻すことができる。さらに、復旧ボタン６３にて復旧操作を行うと、これを検出したＣＰＵの制御により呼出ボタンが操作された患者からの呼出時において点滅／点灯される呼出表示灯６１が消灯するとともに、表示部の表示を患者氏名の表示から部屋の表徴表示に戻すことができる。【選択図】　図２
2004120174.tif 000002
【特許請求の範囲】
【請求項１】
病室内の患者が呼出ボタン（５０）を操作すると、看護師により携行されるＰＨＳ（２１）の鳴動と同時に点滅／点灯するための呼出表示灯（６１）と、前記看護師や医師により携行されるＰＨＳ（２１ａ、２２ｂ）が発する電波を受信するためのＰＨＳ電波受信部（６０）と、待受時には部屋の表徴表示がされ、前記ＰＨＳが発する電波を受信すると患者氏名の表示に切り替わる表示部（６２）と、前記表示部の表示を所定時間後に前記部屋の表徴表示に戻すためのタイマ（６４）と、前記待受時に表示される前記部屋の表徴表示および前記電波を受信すると表示される前記患者氏名を予め記憶しておくための記憶部（６５）と、前記ＰＨＳ電波受信部、前記タイマに接続され前記呼出表示灯、前記表示部、前記記憶部を制御するためのＣＰＵ（６８）とを備えたことを特徴とするナースコール廊下灯。
【請求項２】
前記ＣＰＵに、復旧操作すると、前記呼出表示灯を消灯させ、前記表示部の表示を前記患者氏名の表示から前記部屋の表徴表示に戻すための復旧ボタン（６３）を接続したことを特徴とする請求項１記載のナースコール廊下灯。
【発明の詳細な説明】
【０００１】
【発明の属する技術分野】
本発明は、各病室の出入口近傍に設置されるナースコール廊下灯に係り、特に、病室内の患者の私的情報を看護師や医師のみに知らせることができるナースコール廊下灯に関する。
【０００２】
【従来の技術】
従来から、各病室の出入口近傍に設置されるナースコール廊下灯として、ナースセンター（ナースステーション）側での遠隔操作により、病室内の患者の各種情報を表示できるナースコール廊下灯が提案されている。
【０００３】
従来例のナースコール廊下灯によれば、ナースセンター側での遠隔操作により、病室内の患者の各種情報、例えば、患者氏名、救護区分等を容易に変更できるばかりでなく、各種情報の表示や患者からの呼び出しがある旨の呼出情報、例えば、呼出種別、呼出元の患者氏名、救護区分を文字や画像等で表示できる（例えば、特許文献１参照）。
【０００４】
【特許文献１】特開平１０−１９２３４９号公報（第３−４頁）
【発明が解決しようとする課題】
しかしながら、従来例のナースコール廊下灯では、病室内の患者からの呼び出しがあると、呼出元の患者氏名が表示されるため、当該ナースコール廊下灯の設置場所の周囲近傍、すなわち、呼出元の患者が入院している病室の出入口近傍に居る人物に対して患者氏名を容易に知らせることになり、プライバシーが侵害される虞があるばかりでなく、この難点に起因して看護師や医師以外に知らせたくない情報、例えば、重度患者からの呼び出しの場合、患者氏名とともに緊急度や重要度等を併せて表示できず、表示内容が限定される難点があった。
【０００５】
本発明は、上述の難点を解消するためになされたもので、緊急度や重要度等、患者の状況に応じた必要かつ十分な情報を表示させ当該患者のプライバシーを確保するとともに、看護師や医師による迅速な対応を可能としたナースコール廊下灯を提供することを目的としている。
【０００６】
【課題を解決するための手段】
上述の目的を達成するため、本発明のナースコール廊下灯は、病室内の患者が呼出ボタンを操作すると、看護師により携行されるＰＨＳの鳴動と同時に点滅／点灯するための呼出表示灯と、看護師や医師により携行されるＰＨＳが発する電波を受信するためのＰＨＳ電波受信部と、待受時には部屋の表徴表示がされ、ＰＨＳが発する電波を受信すると患者氏名の表示に切り替わる表示部と、表示部の表示を所定時間後に部屋の表徴表示に戻すためのタイマと、待受時に表示される部屋の表徴表示および電波を受信すると表示される患者氏名を予め記憶しておくための記憶部と、ＰＨＳ電波受信部、タイマに接続され呼出表示灯、表示部、記憶部を制御するためのＣＰＵとを備えている。
【０００７】
このようなナースコール廊下灯によれば、待受時には部屋の表徴表示、看護師や医師により携行されるＰＨＳが発した電波を受信した時には、これを検出したＣＰＵの制御により記憶部から読み出された患者氏名の表示のように、表示部の表示を切り替えることができる。また、患者氏名の表示は、タイマにて計時される所定時間がタイムアップとなると、これを検出したＣＰＵの制御により部屋の表徴表示に戻すことができる。
【０００８】
また、本発明のナースコール廊下灯は、ＣＰＵに、復旧操作すると、呼出表示灯を消灯させ、表示部の表示を患者氏名の表示から部屋の表徴表示に戻すための復旧ボタンを接続したものである。
【０００９】
このようなナースコール廊下灯によれば、復旧ボタンにて復旧操作を行うと、これを検出したＣＰＵの制御により呼出ボタンが操作された患者からの呼出時において点滅／点灯される呼出表示灯が消灯するとともに、表示部の表示を患者氏名の表示から部屋の表徴表示に戻すことができる。
【００１０】
【発明の実施の形態】
以下、本発明のナースコール廊下灯を適用した好ましい形態の実施例について、図面を参照して説明する。
【００１１】
図１は、本発明の実施例によるナースコール廊下灯が備えられたナースコール装置を示す全体構成図である。
【００１２】
図１の全体構成図に示すナースコール装置は、部屋番号が「１０１」、「１０２」、・・・のように予め割り当てられている病室内のベッド毎の所定の位置に設置されており、ベッド毎の患者がナースステーション内に居る看護師や後述するＰＨＳ２１ａを携行しながら病院内を巡回中の看護師に対して種別が異なる呼び出し、例えば、通常のナースコール呼び出し（以下、ナースコール呼び出しという。）、緊急を要する緊急呼び出し、トイレ介助呼出等を行うための呼出機能、患者が呼出相手先の看護師との間で通話を成立させるための通話機能を有するプレート子機、ここでは、病室毎、２台づつ設置されており、ベッド番号が「１」のナースコール子機１ａ、２ａ、・・・、ベッド番号が「２」のプレート子機１ｂ、２ｂ、・・・と、各病室の出入口近傍に設置されており、待受時には部屋の表徴表示がされ、病院内を巡回中の看護師や医師により携行される後述するＰＨＳ２１ａ、２１ｂから発せられた電波の受信時には病室内の全患者の患者氏名が表示されるとともに、子機接続ラインＬ１ａ、Ｌ１ｂ、Ｌ２ａ、Ｌ２ｂ、・・・を介して接続されたプレート子機１ａ、１ｂ、２ａ、２ｂ、・・・からの呼出時には呼出表示（後述する）がされる表示機能を有するナースコール廊下灯１１、１２、・・・と、ナースステーション内に設置されており、呼出機能が能動とされたプレート子機１ａ、１ｂ、２ａ、２ｂ、・・・からの呼び出しを報知するための呼出発報／表示機能、看護婦が呼出元の患者との間で通話を成立させるための通話機能を有するナースコール親機２０と、病院内を巡回中の看護師により携行されており、呼出機能が能動とされたプレート子機１ａ、１ｂ、２ａ、２ｂ、・・・からの呼び出しを報知するための呼出発報／表示機能、看護師が呼出元の患者との間で通話を成立させるための通話機能、自端末の位置情報を後述する無線基地局２２に通知するための電波を間欠送信する電波送信機能を有するＰＨＳ２１ａと、病院内を巡回中の看護師や医師により携行、ここでは、病院内を巡回中の医師により携行されており、自端末の位置情報を後述する無線基地局２２に通知するための電波を間欠送信する電波送信機能を有するＰＨＳ２１ｂと、ＰＨＳ２１ａ、２１ｂをそれぞれ無線制御するための無線基地局２２と、基地局接続ラインＬ１０を介して接続された無線基地局２２を制御するためのデジタル方式の交換機（以下、ＰＢＸという。）２３と、ナースステーション内、または病院内の共用部に設置されており、廊下灯接続ラインＬ１１を介して接続、例えば、渡り配線接続されたナースコール廊下灯１１、１２、・・・、親機接続ラインＬ１２を介して接続されたナースコール親機２０、交換機接続ラインＬ１３を介して接続されたＰＢＸ２３をそれぞれ制御するためのナースコール制御機２４とで構成されている。
【００１３】
図１の全体構成図において、プレート子機１ａ、１ｂ、２ａ、２ｂ、・・・はそれぞれ同様な構成であり、病室内の患者が呼出種別毎、異なるパターンで操作（以下、呼出操作という。）を行うための呼出ボタン５０と、患者が呼出相手先の看護師との間で通話を成立させるために使用する子機マイク５１および子機スピーカ５２とを有する。
【００１４】
図１の全体構成図において、ナースコール廊下灯１１、１２、・・・はそれぞれ同様な構成であり、病院内を巡回中の看護師や医師により携行されるＰＨＳ２１ａ、２１ｂから発せられた電波を受信するためのＰＨＳ電波受信部６０と、プレート子機１ａ、１ｂ、２ａ、２ｂ、・・・の呼出ボタン５０の呼出操作による病室内の患者からの呼び出しを、呼出種別毎、異なるパターンで点滅／点灯して呼出表示させるための呼出表示灯６１と、待受時には部屋の表徴表示がされ、ＰＨＳ電波受信部６０にてＰＨＳ２１ａ、２１ｂから発せられた電波が受信された時には部屋の表徴表示から患者氏名の表示へ切り替わるＬＣＤ等で構成された表示部６２と、呼出表示灯６１を消灯させるとともに、表示部６２の表示を患者氏名の表示から部屋の表徴表示に戻すために操作（以下、復旧操作という。）される復旧ボタン６３とを有する。
【００１５】
図２は、本発明の実施例によるナースコール廊下灯が備えられたナースコール装置において、ナースコール廊下灯１１、１２、・・・の具体的な構成を示すブロック図である。
【００１６】
図２のブロック図において、ナースコール廊下灯１１、１２、・・・はそれぞれ同様な構成であり、図１の全体構成図に示すＰＨＳ電波受信部６０、呼出表示灯６１、表示部６２、復旧ボタン６３と、表示部６２の表示を所定時間経過後において部屋の表徴表示に戻すための計時機能を有するタイマ６４と、待受時に表示部６２に表示させる部屋の表徴表示に関する情報およびＰＨＳ電波受信部６０にてＰＨＳ２１ａ、２１ｂから発せられた電波が受信された電波受信時に表示部６２に表示させる患者氏名の情報が予め記憶されている記憶部６５と、子機接続ラインＬ１ａ、Ｌ１ｂ、Ｌ２ａ、Ｌ２ｂ、・・・を介して接続されたプレート子機１ａ、１ｂ、２ａ、２ｂ、・・・と後述するＣＰＵ６８との間の各種データ伝送路を形成するためのインターフェース（以下、子機側Ｉ／Ｆという。）６６と、廊下灯接続ラインＬ１１を介して接続されたナースコール制御機２４および自廊下灯を除く他の当該ナースコール廊下灯と後述するＣＰＵ６８との間の各種データ伝送路を形成するためのインターフェース（以下、制御機側Ｉ／Ｆという。）６７と、接続されたＰＨＳ電波受信部６０、呼出表示灯６１、表示部６２、復旧ボタン６３、タイマ６４、記憶部６５、子機側Ｉ／Ｆ６６、制御機側Ｉ／Ｆ６７をそれぞれ制御するためのＣＰＵ６８とが備えられている。
【００１７】
このように構成された本発明の実施例によるナースコール廊下灯が備えられたナースコール装置において、以下、具体的な動作について説明する。
【００１８】
病室内の患者からナースステーション内に居る看護師、または図１の全体構成図に示すＰＨＳ２１ａを携行しながら病院内を巡回中の看護師への呼び出しがなく、ゆえに、通話も成立されていない待受状態において、各病室の出入口近傍に設置された同図および図２のブロック図に示すナースコール廊下灯１１、１２、・・・の表示部６２には、ＣＰＵ６８の制御により記憶部６５から読み出された部屋の表徴表示に関する情報、例えば、動物等のキャラクターがそれぞれイラスト表示されている。
【００１９】
上述のような待受状態において、自端末の位置情報を図１の全体構成図に示す無線基地局２２に通知するための電波を間欠送信しているＰＨＳ２１ａ、２１ｂのうち、ここでは、病院内を巡回中の医師により携行されるＰＨＳ２１ｂを１０１号室の出入口近傍に設置されたナースコール廊下灯１１に近づける、すなわち、ＰＨＳ２１ｂが発する電波を同図および図２のブロック図に示ナースコール廊下灯１１のＰＨＳ電波受信部６０にて受信できる所定の距離に近づけると、この電波Ｓ１は、ナースコール廊下灯１１のＰＨＳ電波受信部６０を介してＣＰＵ６８に伝送される。
【００２０】
図２のブロック図において、ナースコール廊下灯１１のＣＰＵ６８は、ＰＨＳ２１ｂからの電波Ｓ１を検出し、タイマ６４を制御して所定時間の計時を開始させた後、この所定時間内において記憶部６５に予め記憶されている１０１号室内の全患者の患者氏名を読み出して表示部６２に出力することにより、同図および図１の全体構成図に示す表示部６２は、部屋（１０１号室）の表徴表示から１０１号室内の全患者の患者氏名の表示に切り替わり、この患者氏名の表示は、タイマ６４にて計時中の所定時間継続して行われることにより、ＰＨＳ２１ｂを携行した１０１号室の出入口近傍に居る医師は、１０１号室内の全患者の患者氏名を確認できる。
【００２１】
また、図２のブロック図において、ナースコール廊下灯１１のタイマ６４にて計時されている所定時間のタイムアップを検出したＣＰＵ６８、またはタイマ６４にて計時中の所定時間内においてＰＨＳ２１ｂを携行した１０１号室の出入口近傍に居る医師による復旧ボタン６３の復旧操作を検出したＣＰＵ６８は、記憶部６５に予め記憶されている部屋（１０１号室）の表徴表示に関する情報を読み出して表示部６２に出力することにより、同図および図１の全体構成図に示す表示部６２は、１０１号室内の全患者の患者氏名の表示から待受状態の表示である部屋（１０１号室）の表徴表示に戻ることから、表示部６２での患者氏名の継続的な表示を防止できる。
【００２２】
なお、待受時において病室内の全患者の患者氏名を確認する動作は、上述のＰＨＳ２１ｂを携行しながら病院内を巡回中の医師のみならず、ＰＨＳ２１ａを携行しながら病院内を巡回中の看護婦でも同様に可能である。
【００２３】
次に、上述のような待受状態において、病室内の患者、ここでは、１０１号室内でベッド番号が「１」のベッドの患者が、ナースステーション内に居る看護師、または図１の全体構成図に示すＰＨＳ２１ａを携行しながら病院内を巡回中の看護師に対する種別が異なる呼び出しのうち、ナースコール呼び出しに該当する操作をプレート子機１ａの呼出ボタン５０を操作して行うと、ナースコール呼び出しを示す呼出種別情報を含む呼出信号Ｓ２が出力される。この呼出信号Ｓ２は、子機接続ラインＬ１ａ、図２のブロック図に示すナースコール廊下灯１１の子機側Ｉ／Ｆ６６を介してＣＰＵ６８に伝送される。
【００２４】
図２のブロック図において、図１の全体構成図に示すプレート子機１ａからの呼出信号Ｓ２が入力されたナースコール廊下灯１１のＣＰＵ６８は、呼出信号Ｓ２のデータ伝送路である子機接続ラインＬ１ａに予め割り当てられているベッド番号「１」に該当するベッドの患者からのナースコール呼び出しがあることを検出し、呼出信号Ｓ２に部屋番号「１０１」およびベッド番号「１」を付加させた呼出信号Ｓ２ａを出力する。この呼出信号Ｓ２ａは、制御機側Ｉ／Ｆ６７、廊下灯接続ラインＬ１１を介して図１の全体構成図に示すナースコール制御機２４に伝送される。また、ナースコール廊下灯１１のＣＰＵ６８は、呼出表示灯６１の該当部を所定のパターンで点滅／点灯させてナースコール呼び出しがある旨の呼出表示を行うことにより、１０１号室に出入口近傍に居る人物は、１０１号室内でベッド番号が「１」のベッドの患者からのナースコール呼び出しがあることを確認できる。
【００２５】
図１の全体構成図に示すナースコール制御機２４は、ナースコール廊下灯１１からの呼出信号Ｓ２ａに含まれている部屋番号「１０１」、ベッド番号「１」、呼出種別情報をそれぞれ検出し、部屋番号「１０１」およびベッド番号「１」に該当したナースコール親機２０の呼出表示灯（詳述せず）を制御するための制御データと呼出種別情報とを含む親機呼出制御信号Ｓ３を親機接続ラインＬ１２に出力するとともに、病院内を巡回中の看護師や医師により携行されるＰＨＳ２１ａ、２１ｂのうち、ＰＨＳ２１ａを呼び出すための選局アドレスとＰＨＳ２１ａの表示部（詳述せず）に表示させる部屋番号「１０１」、ベッド番号「１」、呼出種別情報に該当した表示データとを含むＰＨＳ呼出制御信号Ｓ４をＰＢＸ接続ラインＬ１３に出力する。また、ナースコール制御機２４からの親機呼出制御信号Ｓ３およびＰＨＳ呼出制御信号Ｓ４のうち、親機呼出制御信号Ｓ３は、親機接続ラインＬ１２を介してナースコール親機２０に伝送され、ＰＨＳ呼出制御信号Ｓ４は、ＰＢＸ接続ラインＬ１３、ＰＢＸ２３、基地局接続ラインＬ１０、無線基地局２２を介してＰＨＳ２１ａ、２１ｂにそれぞれ伝送される。
【００２６】
また、図１の全体構成図に示すナースコール親機２０は、ナースコール制御機２４からの親機呼出制御信号Ｓ３に含まれている制御データ、呼出種別情報をそれぞれ検出し、制御データに該当した呼出表示灯（詳述せず）をナースコール呼び出しを示すパターンで点滅／点灯させるとともに、この呼出種別に該当したパターンの呼出音を鳴動させることにより、ナースステーション内に居る看護師は、１０１号室内でベッド番号が「１」のベッドの患者からのナースコール呼び出しがあることを確認できる。
【００２７】
さらに、図１の全体構成図に示すＰＨＳ２１ａ、２１ｂは、ナースコール制御機２４からのＰＨＳ呼出制御信号Ｓ４に含まれている選局アドレス、表示データをそれぞれ検出し、選局アドレスと自端末に予め割り当てられいるアドレスとが一致した場合にのみ、表示データを有効として表示部（詳述せず）に表示させるとともに、呼出種別に該当したパターンの呼出音を鳴動させる、ここでは、ＰＨＳ２１ａのみ当該アドレスが一致して上述の呼出報知（呼出表示／発報）が行われることにより、ＰＨＳ２１ａを携行しながら病院内を巡回中の看護師は、１０１号室内でベッド番号が「１」のベッドの患者からのナースコール呼び出しがあることを確認できる。
【００２８】
なお、図１の全体構成図において、ＰＨＳ２１ａでの呼出発報、すなわち、呼出音の鳴動が開始されるタイミングと、同図および図２のブロック図に示すナースコール廊下灯１１の呼出表示灯６１の点滅／点灯が開始されるタイミングとは同時である。
【００２９】
次に、ナースコール呼び出しを行った患者、すなわち、１０１号室内でベッド番号が「１」のベッドの患者が、例えば、重度患者ではなく通話を成立させることができる当該患者であった場合、上述の呼出報知（呼出表示／発報）によりナースコール呼び出しを確認したナースステーション内に居る看護師および図１の全体構成図に示すＰＨＳ２１ａを携行しながら病院内を巡回中の看護師のうち、最先に呼出応答した看護師は、呼出元の患者との間で通話を成立させることができ迅速な対応が可能となり、このとき、ナースコール親機２０およびＰＨＳ２１ａでの呼出報知（呼出表示／発報）は停止されるとともに、図２のブロック図に示すナースコール廊下灯１１のＣＰＵ６８の制御により呼出表示灯６１は消灯される。
【００３０】
また、ナースコール呼び出しを行った患者、すなわち、１０１号室内でベッド番号が「１」のベッドの患者が、例えば、重度患者であり通話を成立させることが困難な当該患者であった場合、上述の呼出報知（呼出表示／発報）によりナースコール呼び出しを確認したナースステーション内に居る看護師および図１の全体構成図に示すＰＨＳ２１ａを携行しながら病院内を巡回中の看護師は、呼出応答せずに呼出元の患者のベッドまで赴いた後、ナースコール呼び出しの具体的な内容に対応する必要がある。
【００３１】
ここで、ナースステーション内に居る看護師が対応にあたるには、１０１号室内の呼出元の患者のベッドまで赴いた後、ナースコール呼び出しの具体的な内容に対応するとともに、図２のブロック図に示すナースコール廊下灯１１の復旧ボタン６３を復旧操作すると、この復旧操作を検出したＣＰＵ６８の制御により呼出表示灯６１が消灯される。
【００３２】
一方、図１の全体構成図に示すＰＨＳ２１ａを携行しながら病院内を巡回中の看護師が対応にあたるには、ＰＨＳ２１ａを１０１号室の出入口近傍に設置されたナースコール廊下灯１１に近づける、すなわち、ＰＨＳ２１ａが発する電波を同図および図２のブロック図に示ナースコール廊下灯１１のＰＨＳ電波受信部６０にて受信できる所定の距離に近づけると、この電波Ｓ５は、ナースコール廊下灯１１のＰＨＳ電波受信部６０を介してＣＰＵ６８に伝送される。
【００３３】
図２のブロック図において、ナースコール廊下灯１１のＣＰＵ６８は、ＰＨＳ２１ａからの電波Ｓ５を検出し、タイマ６４を制御して所定時間の計時を開始させた後、この所定時間内において記憶部６５に予め記憶されている１０１号室内の全患者の患者氏名を読み出して表示部６２に出力することにより、同図および図１の全体構成図に示す表示部６２は、部屋（１０１号室）の表徴表示から１０１号室内の全患者の患者氏名の表示に切り替わり、この患者氏名の表示は、タイマ６４にて計時中の所定時間継続して行われることにより、ＰＨＳ２１ａを携行した１０１号室の出入口近傍に居る看護師は、１０１号室内の全患者の患者氏名を確認できる。
【００３４】
この後、ＰＨＳ２１ａを携行した１０１号室の出入口近傍に居る看護師は、１０１号室内の呼出元の患者のベッドまで赴いた後、ナースコール呼び出しの具体的な内容に対応するとともに、図２のブロック図に示すナースコール廊下灯１１のタイマ６４にて計時中の所定時間内において復旧ボタン６３を復旧操作すると、この復旧操作を検出したＣＰＵ６８の制御により呼出表示灯６１が消灯され、併せて、記憶部６５に予め記憶されている部屋（１０１号室）の表徴表示に関する情報が読み出され表示部６２に出力されることにより、同図および図１の全体構成図に示す表示部６２は、１０１号室内の全患者の患者氏名の表示から待受状態の表示である部屋（１０１号室）の表徴表示に戻ることから、表示部６２での患者氏名の継続的な表示を防止できる。
【００３５】
なお、図２のブロック図において、ナースコール廊下灯１１のタイマ６４にて計時中の所定時間内に復旧ボタン６３が復旧操作されず、タイムアップとなった場合でも、これを検出したＣＰＵ６８は、記憶部６５に予め記憶されている部屋（１０１号室）の表徴表示に関する情報を読み出して表示部６２に出力することにより、同図および図１の全体構成図に示す表示部６２は、１０１号室内の全患者の患者氏名の表示から待受状態の表示である部屋（１０１号室）の表徴表示に戻ることから、表示部６２での患者氏名の継続的な表示を防止できる。
【００３６】
【発明の効果】
以上の説明から明らかなように、本発明のナースコール廊下灯によれば、待受時には部屋の表徴表示、例えば、動物等のキャラクターのイラスト表示、看護師や医師により携行されるＰＨＳが発した電波を受信した時には、これを検出したＣＰＵの制御により記憶部から読み出された患者氏名の表示のように、表示部の表示を切り替えることができる。また、患者氏名の表示は、タイマにて計時される所定時間がタイムアップとなる、またはタイマにて計時中の所定時間にて復旧ボタンの復旧操作が行われると、これらを検出したＣＰＵの制御により部屋の表徴表示に戻ることにより、表示部での患者氏名の継続的な表示を防止でき患者のプライバシーが保護される。さらに、タイマにて計時中の所定時間にて復旧ボタンの復旧操作を検出したＣＰＵは、呼出ボタンが操作された患者からの呼出時において点滅／点灯される呼出表示灯を消灯させることができる。
【図面の簡単な説明】
【図１】本発明の実施例によるナースコール廊下灯を備えたナースコール装置を示す全体構成図である。
【図２】本発明の実施例によるナースコール廊下灯の構成を示すブロック図である。
【符号の説明】
２１ａ、２１ｂ・・・・・ＰＨＳ
５０・・・・・呼出ボタン
６０・・・・・ＰＨＳ電波受信部
６１・・・・・呼出表示灯
６２・・・・・表示部
６３・・・・・復旧ボタン
６４・・・・・タイマ
６５・・・・・記憶部
６８・・・・・ＣＰＵ
【図１】
2004120174.tif 000003
【図２】
2004120174.tif 000004